(57)【特許請求の範囲】
【請求項１】
記録媒体を給紙する給紙部と、
前記記録媒体を排紙する排紙部と、
前記給紙部から前記排紙部へ至る第１の搬送路と、
この第１の搬送路に配置され、前記記録媒体に記録された画像を読み取る読取部と、
前記読取部より前記記録媒体の搬送方向下流から分岐し、前記第１の搬送路の前記記録媒体の搬送方向上流に合流する第２の搬送路と、
この第２の搬送路に配置され、前記記録媒体と接触して加熱することにより当該記録媒体の画像の色を消色する消色部と、
前記記録媒体を前記第１及び前記第２の搬送路に沿って搬送する搬送部と、
この搬送部により搬送される記録媒体を検知するセンサと、
このセンサにより記録媒体のジャムの発生を検知したとき、前記第１又は第２の搬送路内に存在する記録媒体を搬送するよう制御する制御部と、
を備える消色装置。
【請求項２】
前記制御部は、前記センサにより前記第２の搬送路内での記録媒体のジャムの発生を検知したとき、前記第１の搬送路内に存在する記録媒体の処理を継続する請求項１記載の消色装置。
【請求項３】
前記制御部は、前記センサにより前記第２の搬送路内での記録媒体のジャムの発生を検知したとき、前記第２の搬送路内のジャム位置よりも下流に存在する記録媒体の処理を継続する請求項１記載の消色装置。
【請求項４】
前記給紙部が第１の記録媒体を前記第１の搬送路に給紙した後に、前記給紙部で後続の第２の記録媒体によるジャムの発生を前記制御部が検知した場合、前記第１の記録媒体の処理を継続する請求項１記載の消色装置。
【請求項５】
前記処理は、前記消色部による消色処理を含む請求項２乃至４の何れか１項に記載の消色装置。
【請求項６】
前記処理は、前記読取部による読取処理を含む請求項２乃至５の何れか１項に記載の消色装置。
【請求項７】
前記処理は、前記読取部による分別処理を含む請求項２乃至６の何れか１項に記載の消色装置。
【請求項８】
前記制御部は、ジャム発生時に搬送可能な記録媒体の状況に応じて、搬送する搬送方向を制御する請求項１乃至７の何れか１項に記載の消色装置。
【請求項９】
前記制御部は、ジャムを発生させた記録媒体の状況に応じて、搬送する搬送方向を制御する請求項１乃至７の何れか１項に記載の消色装置。
【請求項１０】
前記制御部は、ジャム発生時に搬送可能な記録媒体を前記排紙部へ排出する請求項１乃至７の何れか１項に記載の消色装置。
【請求項１１】
ジャムの発生を表示する表示部をさらに有する請求項１乃至１０の何れか１項に記載の消色装置。
【請求項１２】
記録媒体を給紙部により給紙し、
前記給紙部から前記記録媒体を排紙する排紙部へ至る第１の搬送路に配置される読取部により、前記記録媒体に記録された画像を読み取り、
前記第１搬送路、及び前記読取部より前記記録媒体の搬送方向下流から分岐し、前記第１の搬送路の前記記録媒体の搬送方向上流に合流する第２の搬送路に沿って前記記録媒体を搬送し、
前記第２の搬送路に配置される消色部により前記記録媒体と接触して加熱することで当該記録媒体の画像の色を消色し、
前記記録媒体をセンサにより検知し、
前記記録媒体のジャムの発生時、前記第１又は第２の搬送路内に存在する記録媒体を搬送するよう制御する記録媒体の搬送制御方法。
【発明の詳細な説明】
【技術分野】
【０００１】
本発明の実施形態は、画像形成装置により画像形成された用紙の画像を消色する消色装置及び記録媒体の搬送制御方法に関する。
【背景技術】
【０００２】
画像形成装置により画像形成された用紙に、高温の熱により消色処理を施し、画像の色を消す消色装置が知られる。しかしながら、消色装置内で用紙のジャムが発生してしまうと、消色装置は動作を停止し、ジャムを発生させていない用紙も搬送路に残留してしまう。このとき、カバーを開けて、ジャムを発生させていない用紙を搬送路内から取り出すという作業が必要となるといった問題が生じる。
【先行技術文献】
【特許文献】
【０００３】
【特許文献１】特開２０００−３５２８９０公報
【発明の概要】
【発明が解決しようとする課題】
【０００４】
本発明の実施形態が解決しようとする課題は、操作性を向上する消色装置を提供することである。
【課題を解決するための手段】
【０００５】
上記課題を解決するために、本発明の実施形態における消色装置は、記録媒体を給紙する給紙部と、前記記録媒体を排紙する排紙部と、前記給紙部から前記排紙部へ至る第１の搬送路と、この第１の搬送路に配置され、前記記録媒体に記録された画像を読み取る読取部と、前記読取部より前記記録媒体の搬送方向下流から分岐し、前記第１の搬送路の前記記録媒体の搬送方向上流に合流する第２の搬送路と、この第２の搬送路に配置され、前記記録媒体と接触して加熱することにより当該記録媒体の画像の色を消色する消色部と、前記記録媒体を前記第１及び前記第２の搬送路に沿って搬送する搬送部と、この搬送部により搬送される記録媒体を検知するセンサと、このセンサにより記録媒体のジャムの発生を検知したとき、前記第１又は第２の搬送路内に存在する記録媒体を搬送するよう制御する制御部と、を備える。
【図面の簡単な説明】
【０００６】
【図１】第一の実施形態におけるシステム構成図である。
【図２】第一の実施形態における消色装置の構成図である。
【図３】第一の実施形態における消色装置、及びクライアントＰＣ、及びサーバのブロック図である。
【図４】第一の実施形態における第１の搬送路での第１の用紙の搬送を示す図である。
【図５】第一の実施形態における第２の搬送路での第１の用紙の搬送、第１の搬送路での第２の用紙の搬送を示す図である。
【図６】第一の実施形態における第２の搬送路から第１の搬送路への第１の用紙の搬送、第２の搬送路での第２の用紙の搬送を示す図である。
【図７】第一の実施形態における第２の搬送路での第２の用紙の搬送、第１の搬送路での第３の用紙の搬送を示す図である。
【図８】第一の実施形態における第２の搬送路から第１の搬送路への第２の用紙の搬送、第２の搬送路での第３の用紙の搬送を示す図である。
【図９】第一の実施形態におけるジャム時の用紙の搬送制御のフローチャートである。
【図１０】第一の実施形態における給紙部でジャムが発生した状態を示す図である。
【図１１】第二の実施形態におけるジャム時の用紙の搬送制御のフローチャートである。
【図１２】第二の実施形態における図１１の続きのフローチャートである。
【図１３】第二の実施形態における給紙部でジャムが発生し、先行する用紙が搬送される状態を示す図である。
【図１４】第二の実施形態における消色部でジャムが発生し、後続の用紙が搬送される状態を示す図である。
【図１５】第二の実施形態における消色部でジャムが発生し、先行する用紙が搬送される状態を示す図である。
【発明を実施するための形態】
【０００７】
以下に添付図面を参照して、消色装置の実施の形態を説明する。
【０００８】
（第一の実施形態）
第一の実施形態の消色装置は、ジャムの発生時、ジャムが発生していない用紙が搬送路内に存在する場合、ジャムが発生していない用紙を排出部に排出する。例えば、給紙部でジャムが発生し、第１の搬送路と第２の搬送路の合流点の上流にジャム紙の先端が存在する状態の場合、先行紙の処理を継続させる。
【０００９】
図１は、第一の実施形態のシステム構成図である。画像記憶システムは、システム構成として例えば、複数の消色装置１００、複数のクライアントＰＣ（Personal  Computer）１０１、サーバ１０２を有する。システムの各コンポーネントは例えばLAN(Local Area Network)等のネットワーク１０３を介して接続されている。
【００１０】
図２は、消色装置の構成図である。消色装置１００は、画像形成装置で画像形成された用紙（記録媒体）の画像を消色し、用紙の再利用を可能とする。消色装置１００は、給紙部１０、第１の搬送路１１、第２の搬送路１２、第１の読取部１３、第２の読取部１４、消色部１５、搬送ローラ１６、経路変更部１７、第１の排紙部１９、第２の排紙部２０を有する。
【００１１】
給紙部１０は、再利用しようとする用紙Ｐを収容しており、用紙Ｐに消色可能な色材により形成された画像を消色するために消色装置１００の内部へ給紙する。給紙部１０は、給紙トレイ２２及びピックアップローラ１８、分離ローラ１１２、重送検知センサ１１３、レジストローラ１１４を有する。給紙トレイ２２は、用紙Ｐを積載する。ピックアップローラ１８は、給紙トレイ２２ から用紙Ｐを１枚ずつ取り出し、第１の搬送路１１へ送り出す。
【００１２】
第１の搬送路１１、第２の搬送路１２は、複数の搬送ローラ１６を有する。搬送ローラ１６は複数の搬送ローラ１６ａ、１６ｂ、１６ｃ、１６ｄ、１６ｅ、１６ｆ、１６ｇ、１６ｈ、１６ｉ、１６ｊ、１６ｋを有し、駆動ローラと従動ローラの対で構成される。第１の搬送路１１に沿って、第１の読取部１３、及び第２の読取部１４が配置されている。第１の読取部１３及び第２の読取部１４は二次元ＣＣＤスキャナを有する。第１の読取部１３は、給紙部１０から搬送されてくる用紙の片面をスキャンする。第２の読取部１４は第１の読取部１３の読み取る面の反対側の面をスキャンする。第１の読取部１３及び第２の読取部１４でのスキャンにより読み取った画像は、図３に示す記憶部であるＲＡＭ（Random Access Memory）２０３に保存される。第１の読取部１３及び第２の読取部１４で読み取った画像の保存先は、ＲＡＭ２０３に限らず、ＲＯＭ（Read Only Memory）２０２やＨＤＤ（Hard Ｄisk Ｄrive）、光学的磁気メモリ等であっても良い。また、ＲＡＭ２０３に一時保存された画像は、例えば、消色処理が終了した時点で、ＨＤＤに送り、ＨＤＤに保存しても良い。
【００１３】
第１の読取部１３及び第２の読取部１４で読み取った画像は、消色装置１００のＲＡＭ２０３への保存に限らず、図３に示すクライアントＰＣ１０１のＲＡＭ３０２やサーバ１０２のＲＡＭ４０２に保存するようにしても良い。また、使用者を個人認証するため、ログイン、ログアウト機能を備える消色装置１００であるとき、消色装置１００のログアウト時に、消色装置１００のＲＡＭ２０３に保存された画像のデータをクライアントＰＣ１０１のＲＡＭ３０２あるいはサーバ１０２のＲＡＭ４０２に送信し、保存するようにしても良い。
【００１４】
また、第１の読取部１３及び第２の読取部１４は、消色処理後、用紙Ｐが使用可能か否か、用紙の印字（画像）が消色されたか否かを判断するために、表面を読み取る。
【００１５】
第１の読取部１３及び第２の読取部１４による読み取りは２回行う。第１の読取部１３及び第２の読取部１４は、１回目の読み取りで、読み取った画像を電子化して、記憶部に保存する。第１の読取部１３及び第２の読取部１４は、消色後の2回目の読み取りで、用紙Ｐが再利用可能か否かを判定する。
【００１６】
１回目の読み取りで、画像を保存し、しわやステイプル、消色不可能なメモ書き等により使用不可能であるか否かを判定するようにしても良い。この場合、１回目の読み取りで、再利用可能な状態であると判断されれば、消色処理を施し、２回目の読み取りで、用紙Ｐの画像が消色されているか否かを判断し、例えば、第１の排紙部１９に排紙する。１回目の読み取りで、再利用不可能な状態であると判断されれば、消色処理を施し、２回目の読み取りを行わずに、例えば、第１の排紙部１９に排紙する。また、１回目の読み取りで、再利用不可能な状態であると判断されれば、消色処理、及び２回目の読み取りを行わずに、例えば、第１の排紙部１９に排紙しても良い。これらの設定は事前に選択し、設定できる。第１の読取部１３及び第２の読取部１４は、対の二次元ＣＣＤスキャナに限定されず、ＣＭＯＳセンサであっても良い。
【００１７】
図２に示すように、第１の搬送路１１は、給紙部１０から、第１の排紙部１９または第２の排紙部２０へ接続される。第２の搬送路１２は、第１の搬送路１１の第１の読取部１３及び第２の読取部１４の下流の分岐点から分岐し、第１の搬送路１１の第１の読取部１３及び第２の読取部１４の上流の合流点で合流する。分岐点には第１の経路変更部１７が配置される。
【００１８】
第２の搬送路１２は、搬送路中に消色部１５を有する。消色部１５は、ローラ対２１、及び図３に示すヒータ２０５、用紙検知センサ２１２、及び温度検出部２１３を有する。温度検出部２１３は、消色部１５の温度を検出する。ローラ対２１はヒータ２０５により加熱される。ヒータ２０５により加熱されたローラ対２１を介して、用紙Ｐに一定以上の温度や熱を加えることにより、消色可能な画像形成材料を用いて形成された用紙Ｐの画像を加熱し、色材を無色化する。色材は例えばメタモインクである。消色部１５はローラ対２１で画像消色をすることにより、用紙Ｐの両面の画像消色を可能とする。
【００１９】
排紙部２３は第１の排紙部１９及び第２の排紙部２０を有する。読取処理、消色処理、分別処理等の各種処理を施した用紙Ｐは、第１の排紙部１９または第２の排紙部２０へ排紙される。ユーザは、第１の排紙部１９または第２の排紙部２０のいずれかに用紙Ｐを排紙できるよう選択可能としても良い。
【００２０】
図３は、消色装置１００、及びクライアントＰＣ１０１、及びサーバ１０２のブロック図である。消色装置１００の制御部であるＣＰＵ（Central Processing Unit）２００は、システムバス２０１を介してＲＯＭ２０２、ＲＡＭ２０３、第１の読取部１３、第２の読取部１４のＣＣＤスキャナ２０４、消色部１５のヒータ２０５、外部からのデータの入力、外部へのデータの出力をする通信インターフェース（I/F）２０６が接続される。ＣＰＵ２００は、システムバス２０１を介して接続された通信Ｉ/Ｆ２０６によってクライアントＰＣ１０１やサーバ１０２と通信する。
【００２１】
また、ＣＰＵ２００は、経路変更部１７を制御する経路変更制御駆動部２０７、用紙搬送モータ２０９を制御する用紙搬送モータ制御駆動部２０８、及び操作部２１０、及び表示部２１１、用紙検知センサ２１２、及び温度検出部２１３が接続される。用紙搬送モータ２０９は、図２に示す複数の搬送ローラ１６を駆動する。
【００２２】
ＲＯＭ２０２には、ＣＰＵ２００を動作させるためのプログラム、再利用可否の指針とするため用紙の印字率、画像が消色されたか否かを判断するための濃度閾値が格納される。また、１回目の画像読取でしわの深さなどを判定する場合は、しわの深さなどを判定するために利用する濃度閾値が格納される。ＲＡＭ２０３には、用紙Ｐの画像読取時に得られる画像を格納する。ＣＣＤスキャナ２０４は、一列のラインセンサとして配置されており、用紙Ｐの濃淡を検出する。ヒータ２０５は、ＩＨヒータなどを用い、消色部１５を用紙Ｐが通過する間にローラ対２１を介して、用紙Ｐに熱を加えて色材を無色化する。
【００２３】
操作部２１０は各種キーを有し、表示部２１１は、消色装置１００の各種の処理モードを表示する。操作部２１０は、処理モードを選択可能である。処理モードは、画像を読み取る読取モード、画像を消色する消色モード、画像を読み取り、用紙の再利用の可否を判断する分別モード、及びこれらのモードを組み合わせたモードを有する。表示部２１１はタッチパネル式でもよく、操作部をかねても良い。
【００２４】
ＣＰＵ２００は、経路変更制御駆動部２０７を制御することにより、経路変更部１７を駆動して、第１の搬送路１１から第２の搬送路１２へ用紙Ｐを搬送するよう振り分けたり、第１の搬送路１１から第１の排紙部１９、第２の排紙部２０へ用紙Ｐを搬送するよう振り分けたりする。さらに、ＣＰＵ２００は、画像消色後に消色が正常に施されたか否か、すなわち用紙Ｐが再利用可能であるか否かを判別する。
【００２５】
用紙検知センサ２１２は、用紙を検知する。用紙検知センサ２１２は複数の用紙検知センサ２２、２３、２４、２５、２６、２７を有し、搬送路内に複数配置される。第１の用紙検知センサ２２で用紙Ｐを検知後、所定のパルス数、あるいは所定の時間内に第２の用紙検知センサ２３で用紙Ｐを検知しなければ、ジャムが発生したと判断する。パルス数で用紙のジャムの発生を判断する場合、例えば第１の用紙検知センサ２２が用紙Ｐを検知してから、１１５パルス数を経過しても第２の用紙検知センサ２３が用紙Ｐを検知しない場合に、用紙のジャムが発生したと判断する。用紙のジャムの発生は、用紙検知センサ２１２の検知結果をＣＰＵ２００に送信し、ＣＰＵ２００が検知結果に基づき、用紙のジャムが発生したか否かを判断する。
【００２６】
用紙のジャムが発生した時に、用紙検知センサ２２あるいは用紙検知センサ２３が用紙の検知をしていれば、用紙が読取部１３、１４にあると判断できる。用紙のジャムが発生した時に、用紙検知センサ２５あるいは用紙検知センサ２６が用紙Ｐの検知をしていれば、用紙が消色部１５にあると判断できる。用紙のジャムが発生した時に、用紙検知センサ２４が用紙の検知をしていれば、用紙が第２の搬送路１２の消色部１５の上流側にあると判断できる。用紙のジャムが発生した時に、用紙検知センサ２７が用紙の検知をしていれば、用紙が第２の搬送路１２の消色部１５の下流側にあると判断できる。
【００２７】
クライアントＰＣ１０１は、ＣＰＵ３００、ＲＯＭ３０１、ＲＡＭ３０２、操作部３０３、表示部３０４、及び通信Ｉ/Ｆ３０５を有する。クライアントＰＣ１０１の制御部であるＣＰＵ３００はシステムバス３０６を介して、ＲＯＭ３０１、ＲＡＭ３０２、操作部３０３、表示部３０４、及び通信Ｉ/Ｆ３０５と接続する。
【００２８】
サーバ１０２は、ＣＰＵ４００、ＲＯＭ４０１、ＲＡＭ４０２、通信Ｉ/Ｆ４０３を有する。サーバ１０２の制御部であるＣＰＵ４００は、システムバス４０４０を介して、ＲＯＭ４０１、ＲＡＭ４０２、通信Ｉ/Ｆ４０３と接続する。
【００２９】
次に、図４乃至図８を用いて、複数枚連続で読取処理、消色処理、分別処理を行い、用紙毎に処理をずらして行う並行処理について説明する。
【００３０】
１枚目の用紙Ｐの消色処理には読取部である第１の読取部１３、及び第２の読取部１４によって読取処理、次に消色部１５により消色処理、再度第１の読取部１３、及び第２の読取部１４によって読取処理を行い、再利用可能であるか否かを判断する分別処理の順で処理を実施する。
【００３１】
以下、用紙３枚連続での読取、消色、分別を施す処理について、説明する。先行する用紙Ｐを第１の用紙Ｐ１とし、第１の用紙Ｐ１に次いで搬送される用紙を順番に第２の用紙Ｐ２、第３の用紙Ｐ３とする。まず、図４に示すように、第１の用紙Ｐ１を給紙して第１の搬送路１１を搬送し、第１の読取部１３、及び第２の読取部１４によって読取処理を行う。
【００３２】
続いて、図５に示すように、第１の用紙Ｐ１を第２の搬送路１２に搬送し、消色部１５にて消色処理を実施する。この用紙Ｐ１への消色処理と並行して、第２の用紙Ｐ２を給紙して第１の搬送路１１に搬送し、第１の読取部１３、及び第２の読取部１４によって読取処理を行う。
【００３３】
その後、図６に示すように、第１の用紙Ｐ１は第１の搬送路１１を搬送し、第１の読取部１３、及び第２の読取部１４によって画像を読み取り、分別処理を行い、第１の排紙部１９または第２の排紙部２０へ排紙する。この用紙Ｐ１への分別処理と並行して、第２の用紙Ｐ２を第２の搬送路１２に搬送し、消色部１５にて消色処理を実施する。
【００３４】
さらに、図７に示すように、第２の用紙Ｐ２への消色処理の実施と並行して、第３の用紙Ｐ３を給紙して第１の搬送路１１を搬送し、第１の読取部１３、及び第２の読取部１４によって読取処理を行う。
【００３５】
そして、図８に示すように、第２の用紙Ｐ２は再び第１の搬送路１１を搬送し、第１の読取部１３、及び第２の読取部１４によって画像を読み取り、分別処理を行い、第１の排紙部１９または第２の排紙部２０へ排紙する。この用紙Ｐ２への分別処理と並行して、第３の用紙Ｐ３を第２の搬送路１２に搬送し、消色部１５にて消色処理を実施する。その後は上述と同様に処理を繰り返し行う。
【００３６】
上記の処理を繰り返す際、以下の順序で読取処理する。１枚目の読取処理、２枚目の読取処理、１枚目の分別処理、３枚目の読取処理、２枚目の分別処理を行い、最終的に（Ｎ−２）枚目の分別処理、Ｎ枚目の読取処理、（Ｎ−１）枚目の分別処理、Ｎ枚目の分別処理を行う。Ｎは整数である。
【００３７】
次に、用紙ジャム発生時の用紙の搬送制御について説明する。図９は、用紙ジャム時の用紙の搬送制御のフローチャートである。以下の図９のフローチャートの制御は、制御部であるＣＰＵ２００が行う。
【００３８】
７００において、ＣＰＵ２００は、ジョブを開始し、７０１において、給紙部１０から用紙Ｐを搬送する。７０２において、ＣＰＵ２００は、用紙ジャムが発生したか否かを判断する。用紙ジャムが発生していなければ（７０２のＮｏ）、終了する。
【００３９】
ＣＰＵ２００が用紙ジャムを検知したら（７０２のＹｅｓ）、７０３において、ジャムを発生させた用紙Ｐの先端が第１の搬送路１１及び第２の搬送路１２の合流点の下流に存在するか否かを判断する。ジャムを発生させた用紙Ｐの先端が第１の搬送路１１及び第２の搬送路１２の合流点の下流に存在する場合（７０３のＹｅｓ）、ＣＰＵ２００は、７０４において、動作を停止させる。その後、ＣＰＵ２００は、７０５において、表示部２１１に例えば、エラーコードを表示し、終了する。
【００４０】
ジャムを発生させた用紙Ｐの先端が第１の搬送路１１及び第２の搬送路１２の合流点の上流に存在する場合（７０３のＮｏ）、ＣＰＵ２００は、７０６において、搬送路にジャムを発生させた用紙Ｐ以外の用紙Ｐが存在するか否かを判断する。搬送路にジャムを発生させた用紙Ｐ以外の用紙Ｐが存在しない場合（７０６のＹｅｓ）、ＣＰＵ２００は、７０４において、動作を停止させる。その後、ＣＰＵ２００は、７０５において、表示部２１１に例えば、エラーコードを表示し、終了する。
【００４１】
搬送路にジャムを発生させた用紙Ｐ以外の用紙Ｐが存在する場合（７０６のＮｏ）、ＣＰＵ２００は、７０７において、ジャムを発生させた用紙Ｐ以外の用紙Ｐの処理を継続させる。ＣＰＵ２００は、７０８において、全ての用紙Ｐの排出を完了したか否かを判断する。全ての用紙Ｐが排出を完了していなければ（７０８のＮｏ）、ＣＰＵ２００は、７０８の処理を繰り返すよう制御する。全ての用紙が排出されたら（７０８のＹｅｓ）、ＣＰＵ２００は、７０５において、表示部２１１に例えば、エラーコードを表示し、終了する。
【００４２】
図１０は、先行する第１の用紙Ｐ１が第１の搬送路１１から第２の搬送路に搬送され、給紙部１０にて第２の用紙Ｐ２がジャムを発生させた状態を示す図である。すなわち、図９の７０６でＮｏと判断された状態である。
【００４３】
このとき、後続の第２の用紙Ｐ２の先端が第１の搬送路１１及び第２の搬送路１２の合流点の上流に存在するので、第１の用紙Ｐ１の搬送及び、処理は可能となる。よって、ＣＰＵ２００は、第１の用紙Ｐ１の搬送及び処理を継続するよう制御する。処理を終了した第１の用紙Ｐ１は、排紙部２３に排紙される。ＣＰＵ２００は、第１の用紙Ｐ１を、例えば、第１の読取部１３、及び第２の読取部１４での画像の読取を行う読取処理、消色部１５での消色処理、再び第１の読取部１３、及び第２の読取部１４で画像を読み取り、用紙が再利用可能か否かを判断する分別処理を行うよう制御する。
【００４４】
第２の用紙Ｐ２は、先端が給紙部１０で用紙ジャムを起こしていて、後端は給紙トレイ２２上に存在するため、消色装置１００のカバーを開けずに、ジャム処理が可能である。
【００４５】
通常、消色装置内で用紙のジャムが発生してしまうと、消色装置は動作を停止し、ジャムを発生させていない用紙も搬送路に残留してしまい、カバーを開けて、ジャムを発生させていない用紙を搬送路内から取り出すという作業が必要となる。しかしながら、上述のような消色装置１００は、ジャムを発生させていない用紙の処理を継続させるため、操作性を向上させることができる。
【００４６】
（第二の実施形態）
図１１乃至図１５に示す第二の実施形態の消色装置は、用紙ジャムの発生時、ジャムが発生していない用紙が搬送路内に存在する場合、ジャムが発生していない用紙を排出部に排出する。また、用紙が消色部内にある状態で装置を停止しなければならない場合は、消色部内の用紙を消色部から移動させる。図中、第一の実施形態と同一構成部分には同一符号を付す。
【００４７】
消色部１５に用紙が存在する状態で、ジャムが発生した場合、ＣＰＵ２００は、まず消色部１５にある用紙を搬送方向へ搬送させる。一定のパルス数が経過しても、用紙検知センサ２５あるいは用紙検知センサ２６が用紙を検知していれば、ＣＰＵ２００は、搬送が不可能であると判断する。ＣＰＵ２００により、搬送が不可能であると判断された場合は、搬送方向と逆方向へ用紙を搬送させ、消色部１５外へ搬送する。
【００４８】
消色部１５にある用紙を搬送方向へ搬送させ、一定のパルス数が経過したとき、用紙検知センサ２５あるいは用紙検知センサ２６が用紙を検知していなければ、ＣＰＵ２００は、用紙は消色部１５外へ搬送されたと判断する。その後、ＣＰＵ２００は、さらに用紙を搬送方向に搬送し、排紙部２３へ排出するよう制御する。また、用紙検センサ２６で用紙を検知してから、一定のパルス数が経過しても、用紙検知センサ２７で用紙Ｐを検知していれば、ＣＰＵ２００は、用紙が排紙部１１９付近にあると判断する。
【００４９】
ジャムが発生した際、ピックアップローラ１１１、分離ローラ１１２、レジストローラ１１４、搬送ローラ１１５、１２３、排出ローラ１１８の回転を停止させる。
【００５０】
図１１、及び図１２は、用紙ジャム時の用紙の搬送制御のフローチャートである。以下の図１１及び図１２のフローチャートの制御は、制御部であるＣＰＵ２００が行う。ＣＰＵ２００は、６００において、用紙Ｐを搬送し、６０１において、用紙ジャムが発生したか否かを判断する。用紙ジャムが発生しなければ（６０１のＮｏ）、ＣＰＵ２００は、処理を終了する。用紙ジャムが発生すれば（６０１のＹｅｓ）、ＣＰＵ２００は、６０２において、消色部１１６内に用紙Ｐがあるか否かを判断する。消色部１１６内に用紙Ｐが無ければ（６０２のＮｏ）、ＣＰＵ２００は、６０３において、搬送ローラ１６の駆動を停止させ、用紙Ｐの搬送を停止し、終了する。
【００５１】
消色部１１６内に用紙Ｐがある場合（６０２のＹｅｓ）、ＣＰＵ２００は、図１２の６０４において、消色処理中の用紙Ｐがジャムを起こしたか否かを判断する。消色処理中の用紙Ｐがジャムを起こしていれば（６０４のＹｅｓ）、ＣＰＵ２００は、６０５において、用紙Ｐを搬送方向の逆方向へ搬送する。搬送ローラ１１５、１２３を逆回転させ、用紙Ｐの搬送方向の逆方向へ搬送する。その後、ＣＰＵ２００は、６０６において、消色部１１６外へ移送が完了したか否かを判断する。消色部１１６外へ移送を完了していなければ、ＣＰＵ２００は、６０６の判断を繰り返す。消色部１１６外へ移送を完了したら（６０６のＹｅｓ）、図１１に戻り、ＣＰＵ２００は、６０３において、搬送を停止し、終了する。
【００５２】
消色処理中の用紙Ｐがジャムを起こしていない場合（図１２の６０４のＮｏ）、ＣＰＵ２００は、６０７において、搬送処理を継続し、６０８において、排出が完了したか否かを判断する。排出完了しなければ（６０８のＮｏ）、ＣＰＵ２００は、６０８の判断を繰り返す。排出が完了したら（６０８のＹｅｓ）、ＣＰＵ２００は、図１１に戻り、６０３において、搬送を停止し、終了する。
【００５３】
図１３は、第２の用紙Ｐ２が給紙部１０でジャムを起こし、先行紙である第１の用紙Ｐ１が消色部１５内で搬送を停止している状態を示す図である。このとき、後続紙である第２の用紙Ｐ２の先端が第１の搬送路１１及び第２の搬送路１２の合流点の上流に存在するので、第１の用紙Ｐ１の搬送及び、処理は可能となる。よって、第１の用紙Ｐ１は搬送及び処理を継続する。処理を終了した第１の用紙Ｐ１は、排紙部２３に排紙される。
【００５４】
第２の用紙Ｐ２は、先端が給紙部１０でジャムを起こしていて、後端は給紙トレイ２２上に存在するため、消色装置１００のカバーを開けずに、用紙ジャム処理が可能である。
【００５５】
次に、先行紙である第１の用紙Ｐ１が消色部１５でジャムが発生した場合について説明する。図１４は、第１の用紙Ｐ１が消色部１５でジャムを起こし、後続紙である第２の用紙Ｐ２が第１の搬送路１１内で搬送を停止している状態を示す図である。このとき、第２の用紙Ｐ２の読取処理、あるいは分別処理のみを行う場合は、ＣＰＵ２００は、読取処理あるいは分別処理を継続させ、その後、後続紙である第２の用紙Ｐ２を排紙部２３へ排出する。第２の用紙Ｐ２を読取処理、あるいは分別処理以外の処理を施す場合であれば、処理を施さずに後続紙である第２の用紙Ｐ２を排紙部２３へ排出する。
【００５６】
ＣＰＵ２００は、第２の用紙Ｐ２排紙後、ジャムを発生させた第１の用紙Ｐ１を搬送ローラ１６ｄ、１６ｅ、１６ｆを逆転させることで、搬送方向と逆方向に搬送させ、第２の搬送路１２から第１の搬送路１１へ搬送し、一時停止させる。さらにＣＰＵ２００は、第１の搬送路１１へ搬送された第１の用紙Ｐ１を搬送ローラ１６ａ、１６ｂ、１６ｃ、１６ｊを正転させることで、正方向へ搬送させ、ジャムを発生させた第１の用紙Ｐ１を排紙部２３へ排出させる。
【００５７】
搬送させる順序はこれに限らず、第１の用紙Ｐ１を先に排紙部２３へ排紙させた後、第２の用紙Ｐ２を排紙部２３へ排紙させるようにしても良い。
【００５８】
次に、後続の用紙である第２の用紙Ｐ２が消色部１５でジャムが発生した場合について説明する。図１５は、第２の用紙Ｐ２が消色部１５でジャムを起こし、先行紙である第１の用紙Ｐ１が第１の搬送路１１内で搬送を停止している状態を示す図である。このとき、用紙Ｐ１は、既に、消色部１５により、消色処理がされているので、そのまま以降の処理である読取処理または分別処理が施され、排紙部２３へ排紙される。
【００５９】
ＣＰＵ２００は、第１の用紙Ｐ１排紙後、ジャムを発生させた第２の用紙Ｐ２を搬送ローラ１６ｄ、１６ｅ、１６ｆを逆転させることで、搬送方向と逆方向に搬送させ、第２の搬送路１２から第１の搬送路１１へ搬送し、一時停止させる。さらにＣＰＵ２００は、第１の搬送路１１へ搬送された第２の用紙Ｐ２を搬送ローラ１６ａ、１６ｂ、１６ｃ、１６ｊを正転させることで、正方向へ搬送させ、ジャムを発生させた第２の用紙Ｐ２を排紙部２３へ排出させる。
【００６０】
搬送させる順序はこれに限らず、第２の用紙Ｐ２を先に排紙部２３へ排紙させた後、第１の用紙Ｐ１を排紙部２３へ排紙させるようにしても良い。
【００６１】
消去処理を施している用紙Ｐ１が消色部１１６内でジャムを起こし、用紙Ｐ２が消色部１１６内で留まる場合、用紙Ｐ１２焦げる虞があるが、上述のような搬送制御をすることによって、安全に消色装置１００を停止することができる。
【００６２】
上述のような消色装置１００は、ジャムを発生させていない用紙の処理を継続させるため、操作性を向上させることができる。また、ジャム発生時、消色部１５に用紙Ｐが存在する場合でも、ジャムを発生させた用紙を排紙部２３に排紙させることにより、安全に消色装置１００を停止することができる。
【００６３】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００６４】
１０  給紙部
１１  第１の搬送路
１２  第２の搬送路
１３  第１の読取部
１４  第２の読取部
１５  消色部
１６  搬送ローラ
１７  経路変更部
１９  第１の排紙部
２０  第２の排紙部
２２  給紙トレイ
２３  排紙部
１００  消色装置
１０１  クライアントＰＣ
１０２  サーバ
２００  ＣＰＵ
２０２  ＲＯＭ
２０３  ＲＡＭ
２０５  ヒータ
２１０  操作部
２１１  表示部
２１２  用紙検知センサ
２１３  温度検出部
【図１】
0005600661.tif 000002
【図２】
0005600661.tif 000003
【図３】
0005600661.tif 000004
【図４】
0005600661.tif 000005
【図５】
0005600661.tif 000006
【図６】
0005600661.tif 000007
【図７】
0005600661.tif 000008
【図８】
0005600661.tif 000009
【図９】
0005600661.tif 000010
【図１０】
0005600661.tif 000011
【図１１】
0005600661.tif 000012
【図１２】
0005600661.tif 000013
【図１３】
0005600661.tif 000014
【図１４】
0005600661.tif 000015
【図１５】
0005600661.tif 000016